(57)【要約】【課題】狭小敷地に建物を建築する場合であっても、建物自体の強度を低下させることなく開放感を得られるとともに、コストの低減を図り、しかも余計な作業手間を省略して施工性を向上させることが可能な建物の躯体構造を提供することを目的とする。【解決手段】集成材で構成された一対の柱部１１ａと、これら一対の柱部１１ａの上端部どうし間に横架され、集成材で構成された梁部１１ｂとを剛接合してなる門型のラーメンフレーム１１が、所定の間隔で複数並列に配置されており、隣り合うラーメンフレーム１１の対向する柱部１１ａどうし間に、それぞれ外壁パネル１２が設けられていることを特徴とする建物の躯体構造。【選択図】図１
2007231661.tif 000002
【特許請求の範囲】
【請求項１】
集成材で構成された一対の柱部と、これら一対の柱部の上端部どうし間に横架され、集成材で構成された梁部とを剛接合してなる門型のラーメンフレームが、所定の間隔で複数並列に配置されており、
隣り合うラーメンフレームの対向する柱部どうし間に、それぞれ外壁パネルが設けられていることを特徴とする建物の躯体構造。
【請求項２】
請求項１に記載の建物の躯体構造において、
隣り合うラーメンフレームの対向する梁部どうし間と、前記外壁パネルの上端部どうし間とに架け渡されるようにして床パネルが設けられ、
前記複数のラーメンフレームと、これらラーメンフレームと同形状の複数のラーメンフレームとが、それぞれ上下方向に連続して配置され、
前記対向する柱部どうし間に設けられる外壁パネルと、これら外壁パネルと同形状の複数の外壁パネルとが、それぞれ上下方向に連続して配置されることによって、上層部および下層部が形成されていることを特徴とする建物の躯体構造。
【請求項３】
請求項２に記載の建物の躯体構造において、
下層部に配置されたラーメンフレームの上端部両側面に第１凹部が形成されるとともに、上層部に配置されたラーメンフレームの下端部両側面に第２凹部が形成され、これら第１および第２凹部の表面に跨るようにして接合プレートが固定されていることを特徴とする建物の躯体構造。
【請求項４】
請求項３に記載の建物の躯体構造において、
前記床パネルの側端面に、上下方向に連続して配置された外壁パネルどうし間に挟まれるようにして胴差材が取り付けられるとともに、この胴差材は前記第１凹部に嵌合されており、
前記胴差材の表面は、上下方向に連続して配置された前記ラーメンフレームの側面および前記外壁パネルの表面とほぼ面一となっていることを特徴とする建物の躯体構造。
【請求項５】
請求項３または４に記載の建物の躯体構造において、
前記第２凹部に、この第２凹部に嵌合するカバー部材が設けられており、
前記カバー部材の表面は、上下方向に連続して配置された前記ラーメンフレームの側面および前記外壁パネルの表面とほぼ面一となっていることを特徴とする建物の躯体構造。
【発明の詳細な説明】
【技術分野】
【０００１】
本発明は、住宅等の建物の躯体構造に関する。
【背景技術】
【０００２】
例えば、大都市圏において住宅等の建物を建築する場合、一般に、敷地面積がさほど広くないために建蔽率の制限いっぱいに建築する場合がある（例えば、特許文献１参照）。
この特許文献１に記載のようなユニット式建物によれば、敷地に対して許される範囲内で建物の建築面積を少しでも広く確保することができるようになっている。
【特許文献１】特開２００５−０２３６６５号公報
【発明の開示】
【発明が解決しようとする課題】
【０００３】
ところが、特許文献１のユニット式建物は、鉄骨の柱や梁等で構成された箱形の骨組みを上下および水平方向に組み合わせて建物の躯体を構成しており、例えば従来の木造軸組工法や、木質パネル工法で躯体を構成する場合に比してコストが高くなる場合があった。
【０００４】
一方、コストを低減するために、例えば上記の木質パネル工法で躯体を構成した際は、水平荷重に抵抗するための壁パネルを建物内部にも複数配置しなければならないため、視界を遮る壁が多く、建物内部において開放感を得ることが困難な場合があった。
しかしながら、建物内部において開放感を得るために、このような壁パネルを少なくすると、建物自体の強度が低下してしまう場合があった。
【０００５】
このため、鉄骨で構成された骨組みと木質の壁パネルとによって躯体を形成して、建物自体の強度を確保しながら、コストを低減させたいという要望がある。ところが、鉄骨の骨組みと壁パネルとを接続するに際しては、鉄骨の骨組みに接する壁パネルの全てに複数のボルト孔を設けたり、接続部分に生じる隙間を塞いだり等の作業手間があった。
【０００６】
本発明の課題は、狭小敷地に建物を建築する場合であっても、建物自体の強度を低下させることなく開放感を得られるとともに、コストの低減を図り、しかも余計な作業手間を省略して施工性を向上させることが可能な建物の躯体構造を提供することを目的とする。
【課題を解決するための手段】
【０００７】
請求項１に記載の発明は、例えば図１に示すように、集成材で構成された一対の柱部１１ａと、これら一対の柱部１１ａの上端部どうし間に横架され、集成材で構成された梁部１１ｂとを剛接合してなる門型のラーメンフレーム１１が、所定の間隔で複数並列に配置されており、
隣り合うラーメンフレーム１１の対向する柱部１１ａどうし間に、それぞれ外壁パネル１２が設けられていることを特徴とする。
【０００８】
請求項１に記載の発明によれば、前記ラーメンフレーム１１が、集成材で構成された一対の柱部１１ａと、これら一対の柱部１１ａの上端部どうし間に横架され、集成材で構成された梁部１１ｂとを剛接合してなるので、例えば天然木によって形成されるものに比して、強度や剛性において格段に優れる。また、このように前記ラーメンフレーム１１が集成材によって構成されているので、鉄骨の骨組みで躯体を構成する場合に比して、コストの低減を図ることができる。
そして、このようなラーメンフレーム１１が所定の間隔で複数並列に配置され、隣り合うラーメンフレーム１１の対向する柱部１１ａどうし間に、それぞれ外壁パネル１２が設けられているので、建物自体の強度を十分に確保することができる。これによって、前記ラーメンフレーム１１と外壁パネル１２とに囲まれた位置に、可能な限り壁パネルを少なくしたスペースを形成することができ、建物内部において開放感を得ることができる。
しかも、前記ラーメンフレーム１１および外壁パネル１２は木質素材どうしであることから、容易に接続することができるので、例えば鉄骨で構成された骨組みと木質の壁パネルとを接続する場合とは異なり、余計な作業手間を省略することができ、施工性を向上させることができる。
これによって、狭小敷地に建物を建築する場合であっても、建物自体の強度を低下させることなく開放感を得ることができるとともに、コストを低減させることができ、しかも余計な作業手間を省略して施工性を向上させることが可能となる。
【０００９】
請求項２に記載の発明は、例えば図１に示すように、請求項１に記載の建物の躯体構造１において、
隣り合うラーメンフレーム１１の対向する梁部１１ｂどうし間と、前記外壁パネル１２の上端部どうし間とに架け渡されるようにして床パネル３０が設けられ、
前記複数のラーメンフレーム１１と、これらラーメンフレーム１１と同形状の複数のラーメンフレーム２１とが、それぞれ上下方向に連続して配置され、
前記対向する柱部１１ａどうし間に設けられる外壁パネル１２と、これら外壁パネル１２と同形状の複数の外壁パネル２２とが、それぞれ上下方向に連続して配置されることによって、上層部２０および下層部１０が形成されていることを特徴とする。
【００１０】
請求項２に記載の発明によれば、隣り合うラーメンフレーム１１の対向する梁部１１ｂどうし間と、前記外壁パネル１２の上端部どうし間とに架け渡されるようにして床パネル３０が設けられているので、この床パネル３０上に上層部２０の居住スペースを確保することができるとともに、床パネル３０の下方に下層部１０の居住スペースを確保することができる。
【００１１】
また、前記複数のラーメンフレーム１１と、これらラーメンフレーム１１と同形状の複数のラーメンフレーム２１とが、それぞれ上下方向に連続して配置され、さらに前記対向する柱部１１ａどうし間に設けられる外壁パネル１２と、これら外壁パネル１２と同形状の複数の外壁パネル２２とが、それぞれ上下方向に連続して配置されているので、上層部２０および下層部１０ともに十分な強度を確保することができる。これによって、前記上層部２０および下層部１０の居住スペースを、可能な限り壁パネルを少なくしたスペースとすることができるので、建物内部において更に開放感を得ることができる。
【００１２】
請求項３に記載の発明は、例えば図２に示すように、請求項２に記載の建物の躯体構造１において、
下層部１０に配置されたラーメンフレーム１１の上端部両側面１１ｃに第１凹部３１が形成されるとともに、上層部２０に配置されたラーメンフレーム２１の下端部両側面１１ｃに第２凹部３２が形成され、これら第１および第２凹部３１，３２の表面３１ａ，３２ａに跨るようにして接合プレート３３が固定されていることを特徴とする。
【００１３】
請求項３に記載の発明によれば、前記第１および第２凹部３１，３２の表面３１ａ，３２ａに跨るようにして接合プレート３３が固定されているので、下層部１０に配置されたラーメンフレーム１１と上層部２０に配置されたラーメンフレーム２１とを強固に接合することができ、これによって、建物自体の強度を、より一層強固なものとすることができる。
【００１４】
請求項４に記載の発明は、例えば図１〜図３に示すように、請求項３に記載の建物の躯体構造１において、
前記床パネル３０の側端面に、上下方向に連続して配置された外壁パネル１２，２２どうし間に挟まれるようにして胴差材３４が取り付けられるとともに、この胴差材３４は前記第１凹部３１に嵌合されており、
前記胴差材３４の表面３４ｃは、上下方向に連続して配置された前記ラーメンフレーム１１，２１の側面１１ｃ，２１ｃおよび前記外壁パネル１２，２２の表面１２ａ，２２ａとほぼ面一となっていることを特徴とする。
【００１５】
請求項４に記載の発明によれば、前記胴差材３４が、前記床パネル３０の側端面に取り付けられるとともに、前記第１凹部３１に嵌合されていることから、前記床パネル３０と下層部１０に配置されたラーメンフレーム１１とを一体化することができる。これによって、前記床パネル３０に加わる水平力を前記ラーメンフレーム１１に効果的に伝達することができるので、建物自体にかかる負担を軽減することができる。
【００１６】
また、前記胴差材３４の表面３４ｃが、前記ラーメンフレーム１１，２１の側面１１ｃ，２１ｃおよび前記外壁パネル１２，２２の表面１２ａ，２２ａとほぼ面一となっているので、景観性に優れるだけでなく、例えば外壁面に施す仕上げ板材（図示せず）等を容易に取り付けることができ、施工性をより向上させることができる。
さらに、前記胴差材３４によって前記接合プレート３３の一部を覆い隠すことができるので、より景観性に優れる。
【００１７】
請求項５に記載の発明は、例えば図２に示すように、請求項３または４に記載の建物の躯体構造１において、
前記第２凹部３２に、この第２凹部３２に嵌合するカバー部材３５が設けられており、
前記カバー部材３５の表面３５ａは、上下方向に連続して配置された前記ラーメンフレーム１１，２１の側面１１ｃ，２１ｃおよび前記外壁パネル１２，２２の表面１２ａ，２２ａとほぼ面一となっていることを特徴とする。
【００１８】
請求項５に記載の発明によれば、前記第２凹部３２に嵌合するカバー部材３５の表面３５ａが、前記ラーメンフレーム１１，２１の側面１１ｃ，２１ｃおよび前記外壁パネル１２，２２の表面１２ａ，２２ａとほぼ面一となっているので、景観性に優れるだけでなく、例えば外壁面に施す仕上げ板材等を容易に取り付けることができ、施工性をより一層向上させることができる。
さらに、前記カバー部材３５によって前記接合プレート３３の一部を覆い隠すことができるので、より一層、景観性に優れる。
【発明の効果】
【００１９】
本発明によれば、狭小敷地に建物を建築する場合であっても、建物自体の強度を低下させることなく開放感を得ることができるとともに、コストを低減させることができ、しかも余計な作業手間を省略して施工性を向上させることが可能となる。
【００２０】
以下、図面を参照して本発明に係る建物の躯体構造１の実施の形態について説明する。
【００２１】
本実施の形態の建物の躯体構造１は、図１に示すように、集成材で構成された一対の柱部１１ａと、これら一対の柱部１１ａの上端部どうし間に横架され、集成材で構成された梁部１１ｂとを剛接合してなる門型のラーメンフレーム１１が、所定の間隔で複数並列に配置されており、隣り合うラーメンフレーム１１の対向する柱部１１ａどうし間に、それぞれ外壁パネル１２が設けられている。
【００２２】
なお、このように、隣り合うラーメンフレーム１１の対向する柱部１１ａどうし間に、それぞれ外壁パネル１２を設ける際は、図４（ａ）に示すように、前記ラーメンフレーム１１の側面１１ｃと、前記外壁パネル１２の表面１２ａとが面一となるようにする。
【００２３】
ここで、前記集成材とは、例えば輸入外国産材等のような原木を切り出すことによって得られるラミナ（ひき板）または小角材などを、繊維方向を互いにほぼ平行にし、厚さ、幅及び長さの方向に集成接着することにより、角材や厚板材として形成されたものである。前記柱部１１ａおよび梁部１１ｂは、このような集成材で構成されており、図示はしないが、例えば鋼材からなる接合プレートを介して剛接合されている。
【００２４】
このように、前記ラーメンフレーム１１が、集成材で構成された一対の柱部１１ａと、これら一対の柱部１１ａの上端部どうし間に横架され、集成材で構成された梁部１１ｂとを剛接合してなるので、例えば天然木によって形成されるものに比して、強度や剛性において格段に優れる。また、このように前記ラーメンフレーム１１が集成材によって構成されているので、鉄骨の骨組みで躯体を構成する場合に比して、コストの低減を図ることができるようになっている。
【００２５】
一方、前記パネルとは、縦横の框材が矩形状に組み立てられるとともに、矩形枠の内部に補助棧材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
なお、本実施の形態においては、特に外部に面して設けられる壁パネルを外壁パネル１２，２２と称するものとする。また、前記外壁パネル１２，２２の表面１２ａ，２２ａに、予め、サイディング材等の仕上げ板材を設けておくのが好ましく、これによって、施工性の向上や、工期の短縮を図ることができる。
【００２６】
そして、以上のように前記集成材で構成されるラーメンフレーム１１と、前記外壁パネル１２とは、双方とも木質素材どうしである。つまり、木質素材どうしは、例えば接着剤による接着および釘打等の作業だけで容易に、かつ確実に接続することができるので、例えば鉄骨で構成された骨組みと木質の壁パネルとを接続する場合とは異なり、余計な作業手間を省略することができ、施工性を向上させることができる。
【００２７】
そして、上述したように、前記ラーメンフレーム１１が所定の間隔で複数並列に配置され、隣り合うラーメンフレーム１１の対向する柱部１１ａどうし間に、それぞれ外壁パネル１２が設けられているので、建物自体の強度を十分に確保することができる。これによって、前記ラーメンフレーム１１と外壁パネル１２とに囲まれた位置に、可能な限り壁パネルを少なくしたスペースを形成することができ、建物内部において開放感を得ることができるようになっている。
【００２８】
次に、図面を参照して２階建て以上の建物における躯体構造１の実施の形態について詳細に説明する。
【００２９】
すなわち、図１に示すように、隣り合うラーメンフレーム１１の対向する梁部１１ｂどうし間と、前記外壁パネル１２の上端部どうし間とに架け渡されるようにして床パネル３０が設けられ、前記複数のラーメンフレーム１１と、これらラーメンフレーム１１と同形状の複数のラーメンフレーム２１とが、それぞれ上下方向に連続して配置され、前記対向する柱部１１ａどうし間に設けられる外壁パネル１２と、これら外壁パネル１２と同形状の複数の外壁パネル２２とが、それぞれ上下方向に連続して配置されることによって、上層部２０および下層部１０が形成されている。
【００３０】
また、前記床パネル３０は、前記外壁パネル１２の上端部どうし間に載置されるとともに、図４（ｂ）に示すように、前記梁部１１ｂの側面に固定された受け材３６上に載置されて固定された状態となっている。また、前記梁部１１ｂの上面と前記床パネル３０の上面とが面一となっている。
【００３１】
前記ラーメンフレーム１１と同形状のラーメンフレーム２１は、同じく、集成材で構成された一対の柱部２１ａと、これら一対の柱部２１ａの上端部どうし間に横架され、集成材で構成された梁部２１ｂとを剛接合してなるものである。
【００３２】
そして、このように隣り合うラーメンフレーム１１の対向する梁部１１ｂどうし間と、前記外壁パネル１２の上端部どうし間とに架け渡されるようにして床パネル３０が設けられているので、この床パネル３０上に上層部２０の居住スペースを確保されるとともに、床パネル３０の下方に下層部１０の居住スペースを確保される。
なお、前記下層部１０の居住スペースは、例えば駐車スペース等としても使用することができるようになっている。
【００３３】
また、前記複数のラーメンフレーム１１と、これらラーメンフレーム１１と同形状の複数のラーメンフレーム２１とが、それぞれ上下方向に連続して配置され、さらに前記対向する柱部１１ａどうし間に設けられる外壁パネル１２と、これら外壁パネル１２と同形状の複数の外壁パネル２２とが、それぞれ上下方向に連続して配置されているので、上層部２０および下層部１０ともに十分な強度を確保することができる。
これによって、２階建て以上の建物を建築する場合であっても、前記上層部２０および下層部１０の居住スペースを、可能な限り壁パネルを少なくしたスペースとすることができるので、建物内部において更に開放感を得ることができるようになっている。
【００３４】
一方、図２に示すように、下層部１０に配置されたラーメンフレーム１１の上端部両側面１１ｃに第１凹部３１が形成されるとともに、上層部２０に配置されたラーメンフレーム２１の下端部両側面２１ｃには第２凹部３２が形成され、これら第１および第２凹部３１，３２の表面３１ａ，３２ａに跨るようにして接合プレート３３が固定された状態となっている。
【００３５】
なお、前記接合プレート３３は、釘等の止着材を通すための複数の孔部３３ａ，３３ａ…を備えて構成されている。また、この接合プレート３３を前記第１および第２凹部３１，３２の表面３１ａ，３２ａに固定するに際しては、釘等の止着材で固定するだけでなく、予め裏面に接着剤を塗布しておくことによって固定強度を向上させることができるので好ましい。
【００３６】
そして、このように前記第１および第２凹部３１，３２の表面３１ａ，３２ａに跨るようにして接合プレート３３が固定されていることから、下層部１０に配置されたラーメンフレーム１１と上層部２０に配置されたラーメンフレーム２１とを強固に接合することができるので、建物自体の強度を、より一層強固なものとすることが可能となっている。
【００３７】
また、前記床パネル３０の側端面には、図１〜図３に示すように、上下方向に連続して配置された外壁パネル１２，２２どうし間に挟まれるようにして胴差材３４が取り付けられるとともに、この胴差材３４は前記第１凹部３１に嵌合されている。
前記第１凹部３１は、図３（ｂ）に示すように、断面矩形状の胴差材３４が嵌まり合う寸法になるように欠き込んで形成する。
【００３８】
すなわち、前記胴差材３４が、前記床パネル３０の側端面に取り付けられるとともに、前記第１凹部３１に嵌合されていることから、前記床パネル３０と下層部１０に配置されたラーメンフレーム１１とを一体化することができる。これによって、前記床パネル３０に加わる水平力を前記ラーメンフレーム１１に効果的に伝達することができるので、建物自体にかかる負担を軽減することができるようになっている。
【００３９】
さらに、前記胴差材３４の表面３４ｃは、上下方向に連続して配置された前記ラーメンフレーム１１，２１の側面１１ｃ，２１ｃおよび前記外壁パネル１２，２２の表面１２ａ，２２ａとほぼ面一となっている。
また、前記胴差材３４の表面３４ｃが、前記ラーメンフレーム１１，２１の側面１１ｃ，２１ｃおよび前記外壁パネル１２，２２の表面１２ａ，２２ａとほぼ面一となっているので、景観性に優れるだけでなく、例えば外壁面に施す仕上げ板材等を容易に取り付けることができ、施工性をより向上させることができる。
【００４０】
なお、前記胴差材３４は、図１および図３に示すように、長尺なもの（３４ａ）を用いても良く、図２に示すように、短尺なもの（３４ｂ）を用いても良い。
【００４１】
一方、前記第２凹部３２には、図２に示すように、この第２凹部３２に嵌合するカバー部材３５が設けられている。また、前記カバー部材３５の表面３５ａは、上下方向に連続して配置された前記ラーメンフレーム１１，２１の側面１１ｃ，２１ｃおよび前記外壁パネル１２，２２の表面１２ａ，２２ａとほぼ面一となっている。
【００４２】
すなわち、前記第２凹部３２に嵌合するカバー部材３５の表面３５ａが、前記ラーメンフレーム１１，２１の側面１１ｃ，２１ｃおよび前記外壁パネル１２，２２の表面１２ａ，２２ａとほぼ面一となっているので、景観性に優れるだけでなく、例えば外壁面に施す仕上げ板材等を容易に取り付けることができ、施工性をより一層向上させることができるようになっている。
【００４３】
また、前記胴差材３４および前記カバー部材３５は、図２に示すように、前記接合プレート３３覆い隠すためのカバーとして用いられる。この時、前記胴差材３４およびカバー部材３５の裏面に前記接合プレート３３の厚み分の切欠部３７，３８が形成されている。
【００４４】
本実施の形態によれば、狭小敷地に建物を建築する場合であっても、建物自体の強度を低下させることなく開放感を得ることができるとともに、コストを低減させることができ、しかも余計な作業手間を省略して施工性を向上させることが可能となる。
【図面の簡単な説明】
【００４５】
【図１】本発明の建物の躯体構造を示す斜視図である。
【図２】上下に連続するラーメンフレームどうしの接合形態を示す斜視図である。
【図３】ラーメンフレームに対する胴差材の嵌合形態を示し、（ａ）は斜視図であり、（ｂ）は側断面図である。
【図４】（ａ）は外壁パネルの設置形態を示す平断面図であり、（ｂ）は床パネルの設置形態を示す側断面図である。
【符号の説明】
【００４６】
１  躯体構造
１０  下層部
１１  ラーメンフレーム
１２  外壁パネル
２０  上層部
２１  ラーメンフレーム
２２  外壁パネル
３０  床パネル
【図１】
2007231661.tif 000003
【図２】
2007231661.tif 000004
【図３】
2007231661.tif 000005
【図４】
2007231661.tif 000006